【手続補正書】
【提出日】平成18年2月16日(2006.2.16)
【手続補正１】
【補正対象書類名】特許請求の範囲
【補正対象項目名】全文
【補正方法】変更
【補正の内容】
【特許請求の範囲】
【請求項１】
マスタスレーブフリップフロップであって、マスタスレーブフリップフロップは、
第１および第２の状態を有するクロック信号を伝えるためのクロック入力と、
マスタデータ状態および相補マスタ記憶データ状態を格納するためのマスタ記憶デバイスであって、マスタ記憶入力信号を受け取るためのマスタ記憶入力と、マスタ記憶相補入力信号を受け取るためのマスタ記憶相補入力と、マスタ記憶出力信号を伝えるためのマスタ記憶出力と、マスタ記憶相補出力信号を伝えるためのマスタ記憶相補出力とを有するマスタ記憶デバイスと、
データ入力信号を伝えるためのデータ入力を有するトランスミッションゲートであって、前記データ入力信号は、前記クロックが前記第１の状態であるとき前記マスタ記憶出力および前記マスタ記憶入力を無効にするものであり、前記トランスミッションゲートは、前記クロックが前記第２の状態であるとき前記データ入力信号を前記マスタ記憶出力および前記マスタ記憶入力から切断するものである、トランスミッションゲートと、
相補データ入力信号を伝えるための相補データ入力を有する相補トランスミッションゲートであって、前記相補データ入力信号は、前記クロックが前記第１の状態であるとき前記マスタ記憶相補出力および前記マスタ記憶相補入力を無効にし、前記相補トランスミッションゲートは、前記クロックが前記第２の状態であるとき前記相補データ入力信号を前記マスタ記憶相補出力および前記マスタ記憶相補入力から切断し、それによって、前記クロックが第２の状態であるとき前記マスタおよび相補データ状態を前記マスタ記憶デバイスに格納する、相補トランスミッションゲートと、
スレーブデータ状態および相補スレーブ記憶データ状態を格納するためのスレーブ記憶デバイスであって、スレーブ記憶入力信号を受け取るためのスレーブ記憶入力と、スレーブ記憶相補入力信号を受け取るためのスレーブ記憶相補入力と、データ出力信号を伝えるためのデータ出力と、相補データ出力信号を伝えるための相補データ出力とを有するスレーブ記憶デバイスと、
前記クロックが前記第２の状態であるとき前記データ出力および前記スレーブ記憶入力を無効にするための反転マスタ記憶相補出力信号を有するスレーブスイッチであって、前記クロックが第２の状態であるとき前記相補データ出力および前記スレーブ記憶相補入力を無効にするための反転マスタ記憶出力信号を有し、前記クロックが前記第１の状態であるとき前記反転マスタ記憶相補出力信号を前記スレーブ記憶入力および前記データ出力から切断し、前記クロックが前記第１の状態であるとき前記反転マスタ記憶出力信号を前記スレーブ記憶相補入力および前記相補データ出力から切断し、それによって、前記クロックが前記第１の状態であるとき前記スレーブデータ状態および前記相補スレーブ記憶データ状態を前記スレーブ記憶デバイスに格納するスレーブスイッチと、
を備え、
前記スレーブスイッチは、単一ゲート遅延を有する単一増幅段である、マスタスレーブフリップフロップ。
【請求項２】
請求項１に記載のマスタスレーブフリップフロップであって、セットアップ時間は、ほぼ１トランジスタゲート遅延である、マスタスレーブフリップフロップ。
【請求項３】
請求項１に記載のマスタスレーブフリップフロップであって、
前記マスタ記憶デバイスは、一対のマスタ交差結合インバータであり、この一対のマスタ交差結合インバータは、
前記マスタ記憶相補出力に結合された出力と、前記マスタ記憶入力に結合されかつ前記マスタ記憶出力に交差結合された入力とを有するマスタインバータと、
前記マスタ記憶出力に結合された出力と、前記マスタ記憶相補入力を形成しかつ前記マスタ記憶相補出力に交差結合された入力とを有するマスタ相補インバータと、
を備え、
前記スレーブ記憶デバイスは、一対のスレーブ交差結合インバータであり、この一対のスレーブ交差結合インバータは、
前記相補データ出力に結合された出力と前記スレーブ記憶入力を形成する入力とを有するスレーブインバータであって、前記スレーブ記憶入力は、前記データ出力に結合されている、スレーブインバータと、
前記データ出力に結合された出力と前記スレーブ記憶相補入力とを形成する入力を有するスレーブ相補インバータであって、前記スレーブ記憶相補入力は、前記相補データ出力に結合されている、スレーブ相補インバータと、
を備え、
前記マスタおよび前記スレーブの交差結合インバータの対各々は、論理レベル差を可能にする交差結合抵抗器を有しない、マスタスレーブフリップフロップ。
【請求項４】
請求項３に記載のマスタスレーブフリップフロップであって、前記トランスミッションゲートは、前記マスタインバータを無効にするように前記マスタ記憶出力の励振強度よりも大きな励振強度を有し、前記相補トランスミッションゲートは、前記マスタ相補インバータを無効にするように前記マスタ記憶相補出力励振強度の励振強度よりも大きな励振強度を有する、マスタスレーブフリップフロップ。
【請求項５】
請求項４に記載のマスタスレーブフリップフロップであって、前記スレーブスイッチは、前記相補出力を無効にするように前記スレーブインバータの励振強度よりも大きな励振強度を有し、前記スレーブスイッチは、前記出力を無効にするように前記スレーブ相補インバータの励振強度よりも大きな励振強度を有する、マスタスレーブフリップフロップ。
【請求項６】
請求項４に記載のマスタスレーブフリップフロップであって、前記マスタインバータは、マスタインバータ状態を有し、前記マスタ相補インバータは、マスタ相補インバータ状態を有し、前記スレーブインバータは、スレーブインバータ状態を有し、さらに、前記スレーブ相補インバータは、スレーブ相補インバータ状態を有し、
前記クロックが前記第１の状態であり、前記データ入力信号が前記マスタ記憶出力と前記マスタ記憶入力の両方を無効にするとき、前記マスタインバータ状態は、より速く設定され、
前記クロックが前記第１の状態であり、前記相補データ入力信号が前記マスタ記憶相補出力と前記マスタ記憶相補入力の両方を無効にするとき、前記マスタ相補インバータ状態は、より速く設定され、
前記クロックが前記第２の状態であり、前記反転マスタ相補記憶出力信号が前記データ出力と前記スレーブ記憶入力の両方を無効にするとき、前記スレーブインバータ状態は、より速く設定され、さらに、
前記クロックが前記第２の状態であり、前記反転マスタ記憶記憶出力信号が前記相補データ出力と前記スレーブ記憶相補入力の両方を無効にするとき、前記スレーブ相補インバータ状態は、より速く設定される、マスタスレーブフリップフロップ。
【請求項７】
請求項４に記載のマスタスレーブフリップフロップであって、
前記トランスミッションゲートのデータ入力に結合されたデータ入力励振器であって、前記データ入力信号が前記マスタ記憶出力を無効にするように励振電流を供給するデータ入力励振器と、
前記相補トランスミッションゲートの相補データ入力に結合された相補データ入力励振器であって、前記相補データ入力信号が前記マスタ記憶相補出力を無効にするように相補励振電流を供給する相補データ入力励振器と、
をさらにを備えるマスタスレーブフリップフロップ。
【請求項８】
請求項７に記載のマスタスレーブフリップフロップであって、前記データ入力励振器および前記相補データ入力励振器は、１よりも大きな電圧利得を有する、マスタスレーブフリップフロップ。
【請求項９】
請求項８に記載のマスタスレーブフリップフロップであって、前記スレーブスイッチは、１よりも大きな電圧利得を有する、マスタスレーブフリップフロップ。
【請求項１０】
請求項１に記載のマスタスレーブフリップフロップであって、
相補クロック信号を伝えるための相補クロック入力を、
さらに備えるマスタスレーブフリップフロップ。